(57)【特許請求の範囲】
【請求項１】
複数の放射線画像撮影装置を装填可能なホルダーを備える撮影台と、
前記ホルダーに装填された複数の前記放射線画像撮影装置に同時に放射線を照射可能な放射線照射装置と、
選択された撮影オーダー情報に基づいて撮影を制御するとともに、複数の前記放射線画像撮影装置から取得した画像を合成して長尺画像を生成するコンソールと、
を備え、
前記コンソールは、
選択された前記撮影オーダー情報が長尺撮影に関する撮影オーダー情報である場合は、当該長尺撮影に関する第１撮影条件キーを生成させるとともに、
前記長尺画像の生成に用いる前記画像の枚数を割り出し、割り出した前記画像の枚数に応じた数の第２撮影条件キーを、当該画像を撮影した前記放射線画像撮影装置の前記ホルダーへの装填位置と対応付けてそれぞれ新たに生成させ、
前記放射線画像撮影装置から取得した前記画像と、当該放射線画像撮影装置の装填位置に対応する前記第２撮影条件キーとをそれぞれ紐づけるとともに、前記画像を合成して生成した前記長尺画像と前記第１撮影条件キーとを紐づけることを特徴とする放射線画像撮影システム。
【請求項２】
前記ホルダーへの前記放射線画像撮影装置の装填の有無および装填位置を検出する検出手段を備え、
前記コンソールは、前記検出手段の検出結果に基づいて、前記放射線照射装置から放射線が照射された際に前記ホルダーに装填されていた前記放射線画像撮影装置の枚数を割り出し、割り出した前記放射線画像撮影装置の枚数に基づいて、前記長尺画像の生成に用いる前記画像の枚数を割り出すことを特徴とする請求項１に記載の放射線画像撮影システム。
【請求項３】
前記ホルダーへの前記放射線画像撮影装置の装填の有無、装填位置および前記放射線画像撮影装置が撮影に使用されるか否かを検出する検出手段を備え、
前記コンソールは、前記検出手段の検出結果に基づいて、前記放射線照射装置から放射線が照射された際に前記ホルダーに装填されていた前記放射線画像撮影装置のうち、撮影可能な状態であった前記放射線画像撮影装置の枚数を割り出し、割り出した前記放射線画像撮影装置の枚数に基づいて、前記長尺画像の生成に用いる前記画像の枚数を割り出すことを特徴とする請求項１に記載の放射線画像撮影システム。
【請求項４】
前記放射線画像撮影装置は、前記ホルダーへの装填位置を検出し、
前記コンソールは、
複数の前記放射線画像撮影装置から前記画像を取得する際に、前記画像とともに、前記放射線画像撮影装置が検出した前記装填位置の情報を取得し、
前記放射線画像撮影装置から取得した前記画像の枚数に基づいて前記長尺画像の生成に用いる前記画像の枚数を割り出すとともに、前記画像とともに取得した前記装填位置の情報に基づいて前記装填位置を割り出すことを特徴とする請求項１に記載の放射線画像撮影システム。
【請求項５】
前記コンソールは、前記放射線画像撮影装置から取得した前記画像の枚数に基づいて前記長尺画像の生成に用いる前記画像の枚数を割り出すとともに、前記画像を画像解析して、当該画像を撮影した前記放射線画像撮影装置の前記ホルダーへの装填位置を割り出すことを特徴とする請求項１に記載の放射線画像撮影システム。
【請求項６】
前記コンソールは、前記第１撮影条件キーと紐づけた前記長尺画像と前記第２撮影条件キーと紐づけた前記画像とを互いに対応付けることを特徴とする請求項１から請求項５のいずれか一項に記載の放射線画像撮影システム。
【請求項７】
前記コンソールは、前記撮影台の前記ホルダーに装填されている複数の前記放射線画像撮影装置が全て撮影可能な状態になった時点で、撮影可能である旨を通知することを特徴とする請求項１から請求項６のいずれか一項に記載の放射線画像撮影システム。
【請求項８】
前記コンソールは、前記撮影台の前記ホルダーに装填されている複数の前記放射線画像撮影装置のうちいずれかの前記放射線画像撮影装置が撮影不可の状態である場合には、前記放射線照射装置からの放射線の照射を禁止することを特徴とする請求項１から請求項７のいずれか一項に記載の放射線画像撮影システム。
【請求項９】
前記コンソールは、表示部上に、前記第１撮影条件キーのみを表示させ、前記第２撮影条件キーは表示させないことを特徴とする請求項１から請求項８のいずれか一項に記載の放射線画像撮影システム。
【請求項１０】
前記コンソールは、表示部上に、前記ホルダーに装填されている前記放射線画像撮影装置の装填位置および／または撮影に関するパラメーターを表示することを特徴とする請求項１から請求項９のいずれか一項に記載の放射線画像撮影システム。
【請求項１１】
前記撮影台の前記ホルダーには、前記放射線画像撮影装置を装填可能な装填位置にそれぞれ互いに異なる識別情報が記憶されたドングルが配置されており、前記放射線画像撮影装置の前記ホルダーへの装填時に、前記放射線画像撮影装置に前記ドングルが接続されると、前記放射線画像撮影装置が前記ドングルに記憶されている前記識別情報を読み取って前記検出手段に通知することを特徴とする請求項１から請求項１０のいずれか一項に記載の放射線画像撮影システム。
【発明の詳細な説明】
【技術分野】
【０００１】
本発明は、放射線画像撮影システムに係り、特に、いわゆる１ショット長尺撮影用の撮影台を備える放射線画像撮影システムに関する。
【背景技術】
【０００２】
放射線画像撮影装置（Flat Panel Detector）Ｆで患者の全脊柱や全下肢等の比較的広い範囲を放射線撮影する場合、従来は、例えば図１５（Ａ）に示すように、ホルダー１０１内に装填された放射線画像撮影装置Ｆを撮影台１００の支柱１０２に沿って移動可能に構成し、撮影される被写体である患者Ｐの体軸Ａの方向（すなわち上下方向）に沿って放射線画像撮影装置Ｆの位置を変えながら放射線照射装置１０３から放射線を照射して複数枚の放射線画像を撮影するようにして、いわゆる長尺撮影が行われていた。
【０００３】
図１５（Ａ）の場合、放射線照射装置１０３と放射線画像撮影装置Ｆとの間に図示しない開口を有するコリメーター（collimator）１０４を配置し、放射線画像撮影装置Ｆの移動にあわせてコリメーター１０４を上下方向に移動させて放射線の照射野を絞る場合が示されている。そして、このようにして撮影された複数枚の放射線画像を図示しないコンソール等でつなぎ合わせて１枚の長尺の放射線画像が生成される（例えば特許文献１等参照）。なお、以下、長尺の放射線画像を長尺画像という。
【０００４】
しかし、図１５（Ａ）に示したような場合、放射線画像撮影装置Ｆの位置を変えながら放射線照射装置１０３から放射線を複数照射させて複数枚の放射線画像を撮影する間に被写体である患者Ｐが動いてしまう、いわゆる体動の問題が少なからず発生する。そして、複数枚の放射線画像のうち１枚でも体動が発生していると、当該放射線画像のみを再撮影して画像合成処理を行っても適切な長尺画像を得ることは必ずしも容易ではなく、複数枚の放射線画像全部を再撮影しなければならなくなり（すなわち長尺撮影を再度行わなければならなくなり）、患者の被曝線量が増大してしまう等の問題があった。
【０００５】
そこで、現在、例えば図１５（Ｂ）に示すように、撮影台２００のホルダー２０１内に予め複数の放射線画像撮影装置Ｆ１〜Ｆ３を患者Ｐの体軸Ａの方向に並べて配置しておくタイプの撮影台の開発が進められている（例えば特許文献２等参照）。このように撮影台を構成すれば、並べて配置された複数の放射線画像撮影装置Ｆ１〜Ｆ３を患者Ｐの体軸Ａの方向に移動させることなくそれらに対して放射線照射装置１０３から放射線を１回だけ照射して（すなわち１ショットで）複数枚の放射線画像を撮影することが可能となるため、体動等の問題は発生しない。
【０００６】
なお、図１５（Ｂ）に示したように、ホルダー内に複数の放射線画像撮影装置Ｆを装填可能で、ホルダーに装填した複数の放射線画像撮影装置Ｆに放射線を１回だけ照射して長尺撮影を行うことが可能な撮影台を、１ショット長尺撮影用の撮影台という。
【先行技術文献】
【特許文献】
【０００７】
【特許文献１】特開２０１３−１５４１４６号公報
【特許文献２】特開２０１２−０４５１５９号公報
【発明の概要】
【発明が解決しようとする課題】
【０００８】
ところで、図１５（Ｂ）に示したように１ショットで長尺撮影を行う場合、撮影前に、図１６に示すような撮影オーダー情報が予め作成される。そして、撮影オーダー情報は、少なくとも患者氏名Ｐ３や撮影部位Ｐ７等を指定する形で作成される。なお、撮影オーダー情報等については後で説明する。そして、撮影部位Ｐ７として「全下肢」や「全脊柱」等が指定された撮影オーダー情報が、長尺撮影を行うことを表す撮影オーダー情報ということになる。
【０００９】
そして、従来は、放射線技師等の操作者は、次に行う撮影として、例えば図１６に示した各撮影オーダー情報の中から撮影部位Ｐ７で「全下肢正面」が指定された長尺撮影を表す撮影オーダー情報を選択した後、その撮影オーダー情報に対応する長尺撮影を実行するために、撮影部位Ｐ７「全下肢正面」をより細かく細分化して指定する撮影条件キーを作成していた。
【００１０】
撮影条件キーは、撮影オーダー情報と同様に、患者氏名Ｐ３や撮影部位Ｐ７等を含む撮影に関する情報であるが、例えば、３枚の放射線画像撮影装置Ｆを用いて長尺撮影を行う場合は、放射線技師等の操作者は、上記の１つの長尺撮影の撮影オーター情報（例えば撮影部位Ｐ７が「全下肢」の撮影オーター情報）に対応させて、撮影部位Ｐ７を「（全下肢）正面上」、「正面中」、「正面下」に細分化した３つの撮影条件キーを予め作成する。
【００１１】
また、例えば、患者が子供や幼児であるような場合には、全下肢の撮影を２枚の放射線画像撮影装置Ｆを並べて撮影できる場合がある。このような場合には、放射線技師は上記の１つの長尺撮影の撮影オーター情報に対応させて、撮影部位Ｐ７を「（全下肢）正面上」、「正面中」或いは「（全下肢）正面中」、「正面下」に細分化した２つの撮影条件キーを予め作成する。
【００１２】
このように、撮影オーダー情報は、撮影ごとに（すなわち１回の撮影につき１つずつ）作成される撮影に関する情報であり、撮影条件キーは、画像ごとに（すなわち１枚の画像につき１つずつ）作成される撮影に関する情報ということになる。
【００１３】
また、上記のように放射線技師等の操作者が撮影条件キーをいわば手作業で作成するのは非常に面倒な作業であるため、例えば、上記のように操作者がコンソールＣの表示部Ｃａに表示された選択画面Ｈ１（図１７参照）上で「全下肢」が指定された長尺撮影を表す撮影オーダー情報を選択すると、例えば図１８に示すように、撮影条件キーを簡易に設定するための設定画面Ｈ２を表示するように構成される場合もある。
【００１４】
この場合、放射線技師等の操作者は、３枚の放射線画像撮影装置Ｆを用いて長尺撮影を行う場合は、設定画面Ｈ２上で「全下肢」の「正面上」、「正面中」、「正面下」のボタンアイコンｈ２１をクリックし、２枚の放射線画像撮影装置Ｆを用いて長尺撮影を行う場合は、設定画面Ｈ２上で「全下肢」の「正面上」と「正面中」或いは「正面中」と「正面下」のボタンアイコンｈ２１をクリックする等して、撮影条件キーを簡易に設定することができる。
【００１５】
また、撮影条件キーをさらに簡易に設定するために、図示を省略するが、例えば放射線技師等の操作者が設定画面Ｈ２上で上記のように上、中、下を設定する代わりに、「全下肢」等の長尺撮影を行う際にホルダー内に装填する放射線画像撮影装置Ｆの数（例えば２枚や３枚等）だけを入力して設定するように構成される場合もある。
【００１６】
しかし、上記のように撮影条件キーを簡易に設定することができるように構成したとしても、放射線技師等の操作者が、放射線画像撮影装置Ｆの枚数に応じた数の撮影条件キーを予め新たに作成したり設定しなければならないことには変わりがなかった。
【００１７】
また、例えば、患者の体格等によって、長尺撮影に用いる放射線画像撮影装置Ｆは２枚で済むと予想したが実際には３枚必要であったり、或いは、逆に放射線画像撮影装置Ｆが３枚必要であると予想したが実際には２枚で済んだり、さらには放射線画像撮影装置Ｆを３枚使って長尺撮影を行おうとしたが故障等で２枚しか使えない等のケースが生じ得る。
【００１８】
そして、そのような場合には、放射線技師等の操作者は、再度、撮影条件キーを作成、設定し直す等の作業を行わなければならなくなる。このように、長尺撮影を行うことが可能な従来の放射線画像撮影システムでは、操作者が、実際に長尺撮影に用いられる放射線画像撮影装置Ｆの枚数に応じて撮影条件キーを作成したり作成し直したりする煩わしい作業を行わなければ長尺撮影を行うことができなかった。
【００１９】
その点、１枚の放射線画像撮影装置Ｆに放射線を１回だけ照射して行われる単純撮影では、１つの撮影オーダー情報で指定される単純撮影で撮影される画像は１枚であるから、作成すべき撮影条件キーは１つである。そのため、単純撮影の場合には、通常、放射線技師等の操作者が１つの撮影オーダー情報を選択した時点で、コンソールがその撮影オーダー情報に対応する１つの撮影条件キーを自動的に作成するように構成される。
【００２０】
そのため、単純撮影の場合、放射線技師等の操作者は、通常、撮影前に撮影条件キーを作成することも考慮する必要はなく、コンソールで撮影条件キーが自動的に作成されていることすら気にせずに撮影を行う。また、単純撮影の場合、撮影に用いられる放射線画像撮影装置Ｆは１枚であるため、放射線技師等の操作者は、撮影に用いられる放射線画像撮影装置Ｆの枚数など考慮せずに撮影を行う。
【００２１】
そのため、図１５（Ｂ）に示したように１ショットで長尺撮影を行う場合も、単純撮影の場合と同様に、放射線技師等の操作者が、撮影に用いる放射線画像撮影装置Ｆの枚数を考慮することなく、しかも、撮影前に上記のように撮影条件キーの作成等の煩わしい作業を行うことなく長尺撮影を行うことができるように構成されていれば、放射線技師等の操作者が単純撮影を行う場合と同様の操作感で長尺撮影を行うことが可能となり、放射線画像撮影システムが操作者にとって非常に使い勝手が良いものとなる。
【００２２】
本発明は、上記の問題点を鑑みてなされたものであり、放射線技師等の操作者が、１ショット長尺撮影に用いられる放射線画像撮影装置の枚数を考慮することなく、単純撮影を行う場合と同様の操作感で１ショット長尺撮影を行うことが可能な放射線画像撮影システムを提供することを目的とする。
【課題を解決するための手段】
【００２３】
前記の問題を解決するために、本発明の放射線画像撮影システムは、
複数の放射線画像撮影装置を装填可能なホルダーを備える撮影台と、
前記ホルダーに装填された複数の前記放射線画像撮影装置に同時に放射線を照射可能な放射線照射装置と、
選択された撮影オーダー情報に基づいて撮影を制御するとともに、複数の前記放射線画像撮影装置から取得した画像を合成して長尺画像を生成するコンソールと、
を備え、
前記コンソールは、
選択された前記撮影オーダー情報が長尺撮影に関する撮影オーダー情報である場合は、当該長尺撮影に関する第１撮影条件キーを生成させるとともに、
前記長尺画像の生成に用いる前記画像の枚数を割り出し、割り出した前記画像の枚数に応じた数の第２撮影条件キーを、当該画像を撮影した前記放射線画像撮影装置の前記ホルダーへの装填位置と対応付けてそれぞれ新たに生成させ、
前記放射線画像撮影装置から取得した前記画像と、当該放射線画像撮影装置の装填位置に対応する前記第２撮影条件キーとをそれぞれ紐づけるとともに、前記画像を合成して生成した前記長尺画像と前記第１撮影条件キーとを紐づけることを特徴とする。
【発明の効果】
【００２４】
本発明のような方式の放射線画像撮影システムによれば、放射線技師等の操作者が、１ショット長尺撮影に用いられる放射線画像撮影装置の枚数を考慮することなく、単純撮影を行う場合と同様の操作感で１ショット長尺撮影を行うことが可能となる。
【図面の簡単な説明】
【００２５】
【図１】本実施形態に係る放射線画像撮影システムの構成を表す図である。
【図２】複数の撮影室と単数または複数のコンソールとが対応付けられて構成された放射線画像撮影システムの構成例を表す図である。
【図３】１ショット長尺用の撮影台の別の構成例を表す図である。
【図４】（Ａ）放射線照射装置の曝射スイッチを表す図であり、（Ｂ）ボタンを半押しした状態、（Ｃ）ボタンを全押しした状態を表す図である。
【図５】放射線画像撮影装置の外観を表す斜視図である。
【図６】放射線画像撮影装置の等価回路を表すブロック図である。
【図７】（Ａ）撮影台のホルダーの各装填位置に配置されたドングルを表す図であり、（Ｂ）ドングルが放射線画像撮影装置のコネクターに接続された状態を表す図である。
【図８】コンソールの表示部上に表示される表示画面の例を示す図である。
【図９】放射線検出素子のリセット処理や電荷蓄積状態、画像データの読み出し処理において各走査線にオン電圧を印加するタイミング等を説明するタイミングチャートである。
【図１０】オフセットデータの読み出し処理までに各走査線にオン電圧を印加するタイミング等を説明するタイミングチャートである。
【図１１】表示画面上にプレビュー画像が表示された状態を表す図である。
【図１２】生成された各画像と第２撮影条件キーとがそれぞれ紐づけられることを説明する図である。
【図１３】（Ａ）各画像の合成、および（Ｂ）合成された長尺画像と第１撮影条件キーとが紐づけられることを説明する図である。
【図１４】表示画面上に合成されて生成された長尺画像が表示された状態を表す図である。
【図１５】（Ａ）従来の長尺撮影の仕方、および（Ｂ）１ショット長尺撮影の仕方を説明する図である。
【図１６】撮影オーダー情報の一例を表す図である。
【図１７】撮影オーダー情報を選択するための選択画面の一例を表す図である。
【図１８】撮影条件キーを設定するための設定画面の一例を表す図である。
【発明を実施するための形態】
【００２６】
以下、本発明に係る放射線画像撮影システムの実施の形態について、図面を参照して説明する。図１は、本実施形態に係る放射線画像撮影システムの構成を示す図である。
【００２７】
なお、図１には、撮影室Ｒａ内に１ショット長尺撮影用の撮影台５１Ａのみが設置されているように記載されているが、単純撮影に使用する立位撮影用の撮影台５１Ｂや臥位撮影用の撮影台５１Ｃ（図２参照）等が撮影室Ｒａ内に設置されていてもよい。すなわち、撮影室Ｒａが１つの場合は、当該撮影室Ｒａ内に１ショット長尺撮影用の撮影台５１Ａが設置されていればよく、その他にどのようなモダリティーを撮影室Ｒａ内に設置するかは適宜決められる。
【００２８】
また、以下の本実施形態に係る放射線画像撮影システム５０の基本的な構成等の説明においては、図１に示すように撮影室ＲａとコンソールＣとが１：１に対応付けられている場合について説明するが、図２に示すように、複数の撮影室Ｒａ（Ｒａ１〜Ｒａ３）と単数または複数のコンソールＣ（Ｃ１、Ｃ２）とがネットワークＮ等を介して対応付けられている場合も同様に説明することが可能である。
【００２９】
そして、図２に示すように撮影室Ｒａが複数の場合は、少なくともいずれかの１つの撮影室Ｒａに１ショット長尺撮影用の撮影台５１Ａが設置されていればよく、当該撮影室Ｒａや他の撮影室Ｒａにどのようなモダリティーを撮影室Ｒａ内に設置するかは適宜決められる。全ての撮影室Ｒａに１ショット長尺撮影用の撮影台５１Ａが設置されていてもよい。
【００３０】
さらに、以下では、１ショット長尺撮影用の撮影台５１Ａを単に撮影台５１Ａという場合がある。また、以下では、１ショット長尺撮影用の撮影台５１Ａが、図１や図２に示すように、被写体である患者Ｐを撮影台５１Ａの前に立たせて撮影を行う立位撮影用である場合について説明するが、１ショット長尺撮影用の撮影台５１Ａはこれに限定されず、本発明は、図示を省略するが、複数の放射線画像撮影装置が装填されたホルダー上に患者が横臥したり着座したりして撮影を行う臥位撮影用である場合にも適用される。
【００３１】
［放射線画像撮影システムの基本的な構成等について］
図１に示すように、本実施形態では、撮影室Ｒａ（複数の撮影室Ｒａを備える場合には（図２参照）少なくとも１つの撮影室Ｒａ）には、長尺撮影を行うために複数の放射線画像撮影装置１を装填可能な１ショット長尺撮影用の撮影台５１Ａが配置されている。そして、撮影台５１Ａは、そのホルダー５１ａ内に、被写体である患者Ｐの体軸Ａ方向に並ぶように複数の放射線画像撮影装置１を装填することができるようになっている。
【００３２】
なお、以下では、図１や図２に示したように、撮影台５１Ａのホルダー５１ａが放射線画像撮影装置１を３枚装填することができるように構成されている場合について説明するが、本発明は、撮影台５１Ａに装填される放射線画像撮影装置１の枚数が３枚の場合に限定されず、装填可能な放射線画像撮影装置１の枚数が２枚や４枚以上であってもよい。
【００３３】
また、図１では、ホルダー５１ａ内に、複数の放射線画像撮影装置１が、放射線照射装置５２に近い側と遠い側に交互に配置されるように装填される場合が示されているが、例えば図３に示すように、ホルダー５１ａ内に、より下側の放射線画像撮影装置１の方がより上側の放射線画像撮影装置１よりも放射線照射装置５２（図１等参照）に近くなるように複数の放射線画像撮影装置１を装填することができるように構成することも可能である。
【００３４】
撮影室Ｒａには、放射線照射装置５２が設けられており、図１に示すように、長尺撮影に用いる放射線照射装置５２は、被写体である患者Ｐを介して、撮影台５２Ａに装填された複数の放射線画像撮影装置１に同時に放射線を１回照射（すなわち１ショット）することができるようにいわゆる広角照射タイプになっている。なお、放射線照射装置５２を、単純撮影を行うための立位撮影用や臥位撮影用の放射線照射装置５２と兼用とすることも可能であり、その場合、単純撮影を行う場合は、長尺撮影用の放射線照射装置５２から照射される放射線の照射野をコリメーターで制限して照射するように構成することも可能である。
【００３５】
また、撮影室Ｒａには、撮影室Ｒａ内の各装置等や撮影室Ｒａ外の各装置等の間の通信等を中継するための中継器５４が設けられている。そして、中継器５４には、放射線画像撮影装置１が無線方式で画像データＤや信号等の送受信を行うことができるように、アクセスポイント５３が設けられている。なお、図１や図２では、上記のように、撮影台５１Ａのホルダー５１ａに装填された放射線画像撮影装置１と中継器５４とが無線方式で通信を行う場合が記載されているが、撮影台５１Ａや放射線画像撮影装置１と中継器５４とケーブル等で接続して有線方式で通信を行うように構成することも可能である。
【００３６】
また、中継器５４は、放射線照射装置５２の制御部５５やコンソールＣと接続されている。そして、中継器５４には、放射線画像撮影装置１やコンソールＣ等から放射線照射装置５２の制御部５５に送信するＬＡＮ（Local Area Network）通信用の信号等を制御部５５用の信号等に変換し、また、その逆の変換も行う図示しない変換器が内蔵されている。
【００３７】
図１に示すように、前室（操作室等ともいう。）Ｒｂには、放射線照射装置５２の操作卓５７が設けられており、操作卓５７には、放射線技師等の操作者が操作して放射線照射装置５２に対して放射線の照射開始等を指示するための曝射スイッチ５６が設けられている。操作卓５７では、放射線照射装置５２の制御部５５に管電圧や管電流、照射時間等を設定することができるようになっている。管電圧等の設定や変更をコンソールＣ上でも行うことができるように構成することも可能である。
【００３８】
図４（Ａ）に示すように、曝射スイッチ５６にはボタン５６ａが設けられており、図４（Ｂ）に示すように、放射線技師等の操作者が曝射スイッチ５６のボタン５６ａに対して１段目の操作（いわゆる半押し操作）を行うと、制御部５５が放射線照射装置５２を起動させる。そして、図４（Ｃ）に示すように、操作者が曝射スイッチ５６のボタン５６ａに対して２段目の操作（いわゆる全押し操作）を行うと、制御部５５は放射線照射装置５２から放射線を照射させるようになっている。なお、この放射線照射装置５２からの放射線の照射等については後で説明する。
【００３９】
また、前室Ｒｂには、図示しないＣＰＵ（Central Processing Unit）やＲＯＭ（Read Only Memory）、ＲＡＭ（Random Access Memory）、入出力インターフェース等がバスに接続されたコンピューター等で構成されたコンソールＣが設けられている。また、放射線画像撮影システム５０を図２に示すように構築する場合には、コンソールＣは撮影室外に配置される場合もある。
【００４０】
コンソールＣには、ＣＲＴ（Cathode Ray Tube）やＬＣＤ（Liquid Crystal Display）等で構成される表示部Ｃａが設けられており、また、図示しないマウスやキーボード等の入力手段を備えている。また、コンソールＣには、ＨＤＤ（Hard  Disk Drive）等で構成された記憶手段Ｃｂが接続され、或いは内蔵されている。また、図示を省略するが、コンソールＣには、ネットワークＮ等を介してＨＩＳ（Hospital Information System；病院情報システム）やＲＩＳ（Radiology Information System；放射線科情報システム）、ＰＡＣＳ（Picture Archiving and Communication System）等が接続されている。
【００４１】
［放射線画像撮影装置について］
ここで、放射線画像撮影システムで用いられる放射線画像撮影装置１について説明する。図５は、放射線画像撮影装置の外観を示す斜視図である。
【００４２】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、インジケーター２８等が配置されている。また、図示を省略するが、本実施形態では、筐体２の例えば反対側の側面等に、外部と無線通信を行うためのアンテナ２９（後述する図６参照）が設けられている。なお、外部と有線方式で通信を行う場合にはコネクター２７に図示しないケーブルを接続させて通信することができるようになっている。
【００４３】
図６は、放射線画像撮影装置の等価回路を表すブロック図である。図６に示すように、放射線画像撮影装置１には、図示しないセンサー基板上に複数の放射線検出素子７が二次元状（マトリクス状）に配列されている。各放射線検出素子７は、照射された放射線の量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００４４】
各放射線検出素子７には、スイッチ素子として薄膜トランジスター（Thin Film Transistor。以下、ＴＦＴという。）８が接続されており、ＴＦＴ８は信号線６に接続されている。また、走査駆動手段１５は、配線１５ｃを介して電源回路１５ａから供給されたオン電圧とオフ電圧をゲートドライバー１５ｂで切り替えて走査線５の各ラインＬ１〜Ｌｘに印加するようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００４５】
読み出しＩＣ１６内には複数の読み出し回路１７が設けられており、読み出し回路１７にはそれぞれ信号線６が接続されている。そして、画像データＤの読み出し処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図６では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００４６】
制御手段２２は、図示しないＣＰＵやＲＯＭ、ＲＡＭ、入出力インターフェース等がバスに接続されたコンピューターや、ＦＰＧＡ（Field Programmable Gate Array）等で構成されている。専用の制御回路で構成されていてもよい。そして、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されている。
【００４７】
また、制御手段２２には、アンテナ２９やコネクター２７を介して外部と無線方式や有線方式で通信を行う通信部３０が接続されている。さらに、制御手段２２には、走査駆動手段１５や読み出し回路１７、記憶手段２３、バイアス電源１４等の各機能部に必要な電力を供給するリチウムイオンキャパシター等の内蔵電源２４等が接続されている。
【００４８】
［１ショット長尺撮影の際に放射線画像撮影システムで行われる各処理について］
次に、１ショット長尺撮影の際に、本実施形態に係る放射線画像撮影システム５０で行われる各処理について具体的に説明する。また、本実施形態に係る放射線画像撮影システム５０の作用についてもあわせて説明する。
【００４９】
図１に示したように撮影室ＲａとコンソールＣとが予め１：１に対応付けられている放射線画像撮影システム５０では特に問題はないが、図２に示したように、複数の撮影室Ｒａ（Ｒａ１〜Ｒａ３）と複数のコンソールＣとがネットワークＮ等を介して対応付けられている場合には、撮影前に、放射線技師等の操作者が、以後使用するコンソールＣ上で、１ショット長尺撮影用の撮影台５１Ａが設置された撮影室Ｒａを指定（或いは宣言）する処理を行う。このようにしてコンソールＣ上で撮影室Ｒａが指定されると、以後、そのコンソールＣと指定された撮影室Ｒａとが対応付けられる。
【００５０】
そして、放射線技師等の操作者は、必要な枚数の放射線画像撮影装置Ｆを起動させて（すなわち電源をオンして或いは電力消費モードを撮影可能なモードに切り替えて）、撮影台５１Ａのホルダー５１ａに装填する。すなわち、成人の患者の全下肢等の長尺撮影を行う場合は３枚、子供や幼児の患者の場合は２枚等の放射線画像撮影装置Ｆを装填する。また、放射線画像撮影装置Ｆは、放射線検出素子７のリセット処理を行う等の初期動作を行う。
【００５１】
［放射線画像撮影装置へのドングルの接続等について］
本実施形態では、図７（Ａ）に示すように、撮影台５１Ａのホルダー５１ａには、放射線画像撮影装置１を装填可能な各装填位置Ｓ１〜Ｓ３に、互いに異なる識別情報が記憶されたドングルＤｏ１〜Ｄｏ３がそれぞれ配置されている。そして、図７（Ｂ）に示すように、ドングルＤｏを放射線画像撮影装置１のコネクター２７に接続してから放射線画像撮影装置１をホルダー５１ａに装填するようになっている。
【００５２】
なお、図示を省略するが、例えばドングルＤｏを放射線画像撮影装置１のＵＳＢ端子等に接続するように構成することも可能である。また、上記のように放射線技師等の操作者が手動でドングルＤｏを放射線画像撮影装置１のコネクター２７に接続する代わりに、放射線画像撮影装置１をホルダー５１ａに装填するとその装填位置に対応するドングルＤｏが放射線画像撮影装置１のコネクター２７に自動的に接続されるように構成することも可能である。
【００５３】
そして、放射線画像撮影装置１にドングルＤｏが接続されると、放射線画像撮影装置１はドングルＤｏに記憶されている識別情報を読み取って自らの識別情報であるカセッテＩＤとともにコンソールＣに通知する。コンソールＣは、ドングルＤｏ１〜Ｄｏ３の識別情報と撮影台５１Ａのホルダー５１ａにおける装填位置Ｓ１〜Ｓ３とが対応付けられた対応表を有しており、上記のようにして放射線画像撮影装置１からカセッテＩＤとドングルＤｏの識別情報とが通知されると、対応表を参照して、撮影台５１Ａのホルダー５１ａにどの放射線画像撮影装置１がどの装填位置Ｓ１〜Ｓ３に装填されているかを認識する。
【００５４】
また、撮影台５１Ａのホルダー５１ａに装填された放射線画像撮影装置１は、定期的に或いはコンソールＣから送信要求があった際等に、自らの内蔵電源２４（図６参照）の残量やアクセスポイント５３（図１や図２参照）との間の無線通信における無線強度等の撮影に関するパラメーターＰａをコンソールＣに送信するようになっている。
【００５５】
［第１撮影条件キーの生成について］
一方、コンソールＣは、撮影前に、放射線技師等の操作者の操作により、前述したＨＩＳやＲＩＳから撮影予定の放射線画像撮影に関する撮影オーダー情報を入手する。本実施形態では、撮影オーダー情報は、例えば図１６に例示したように、「患者ＩＤ」Ｐ２、「患者氏名」Ｐ３、「性別」Ｐ４、「年齢」Ｐ５、「診療科」Ｐ６、「撮影部位」Ｐ７等で構成されるようになっている。そして、撮影オーダーを受け付けた順に、各撮影オーダー情報に対して「撮影オーダーＩＤ」Ｐ１が自動的に割り当てられるようになっている。なお、撮影オーダー情報で指定する項目として、さらに使用するモダリティー（１ショット長尺撮影用の撮影台５１Ａを含む。）等を指定するように構成することも可能であり、撮影オーダー情報で指定する項目は適宜決められる。
【００５６】
そして、コンソールＣは、撮影オーダー情報を入手すると、前述した図１７に示したように、表示部Ｃａに、リスト形式で各撮影オーダー情報の一覧を表示した選択画面Ｈ１を表示する。以下、この選択画面Ｈ１上で、撮影部位Ｐ７として「全下肢正面」（すなわち長尺撮影）が指定された撮影オーダー情報が選択された場合について説明する。
【００５７】
前述したように、従来例では、選択画面Ｈ１上で上記のようにして長尺撮影に関する撮影オーダー情報が選択されると、図１８に示したような設定画面Ｈ２に遷移し、放射線技師等の操作者が、設定画面Ｈ２上で、「（全下肢）正面上」、「正面中」、「正面下」等のボタンアイコンｈ２１をクリックする等して撮影条件キーを設定しなければならなかった。
【００５８】
しかし、本実施形態に係る放射線画像撮影システム５０では、放射線技師等の操作者が撮影条件キーを設定する操作は不要とされており、コンソールＣが自動的に撮影条件キー（第１撮影条件キーＫ１と第２撮影条件キーＫ２）を生成させるようになっている。以下、具体的に説明する。
【００５９】
コンソールＣは、上記のようにして選択画面Ｈ１（図１７参照）上で長尺撮影に関する撮影オーダー情報（すなわちこの場合は撮影部位Ｐ７として「全下肢正面」が指定された撮影オーダー情報）が選択されると、後述するように、長尺撮影後に複数の画像を構成して生成される長尺画像ｐlong（例えば後述する図１３（Ｂ）等参照）と紐づけるための第１撮影条件キーＫ１を生成させる。
【００６０】
なお、前述したように、撮影オーダー情報は、撮影ごとに（すなわち１回の撮影につき１つずつ）作成される撮影に関する情報であり、撮影条件キーは、画像ごとに（すなわち１枚の画像につき１つずつ）作成される撮影に関する情報である。そして、撮影条件キーは、撮影オーダー情報と同様に、患者氏名Ｐ３や撮影部位Ｐ７等を含む撮影に関する情報であり、撮影条件キーとして指定する項目は適宜決められる。
【００６１】
［放射線照射装置の起動について］
上記のようにして、コンソールＣ上で撮影オーダー情報が選択された時点で、コンソールＣから放射線照射装置５２の制御部５５に必要な情報を送信して、放射線照射装置５２を自動的に起動させるように構成することも可能であり、また、放射線技師等の操作者が放射線照射装置５２の操作卓５７（図１参照）を手動で操作して放射線照射装置５２を起動させるように構成することも可能である。
【００６２】
［コンソールの表示部上での表示のさせ方等について］
コンソールＣは、上記のようにして第１撮影条件キーＫ１を生成させると、表示部Ｃａ上に表示させる画面を、前述した選択画面Ｈ１から図８に示すような表示画面Ｈ３に切り替える（図１８に示したような設定画面Ｈ２には遷移させない。）。本実施形態では、表示画面Ｈ３には、主に、中央の主画面ＳＭとその左右のサブ画面ＳＬ、ＳＲとが設けられている。
【００６３】
表示画面Ｈ３の左側のサブ画面ＳＬは、選択された撮影オーダー情報すなわち各撮影に対応する撮影条件キーが簡略化されたアイコン状に表示される部分である。
【００６４】
そして、コンソールＣは、例えば選択画面Ｈ１（図１７参照）上で、単純撮影（すなわち放射線画像撮影装置１に放射線を１回照射して１枚の画像を撮影する胸部正面等の通常の撮影）に関する撮影オーダー情報が選択されると、図示を省略するが、単純撮影で生成される画像と紐づけるための撮影条件キーを生成させて、表示画面Ｈ３の左側のサブ画面ＳＬにその撮影条件キーを表示する。この場合、生成される画像は１枚であるからサブ画面ＳＬにアイコン状に表示される撮影条件キーも１つである。
【００６５】
また、コンソールＣは、上記のようにして選択画面Ｈ１上で長尺撮影に関する撮影オーダー情報が選択されたことを受けて第１撮影条件キーＫ１を生成させると、単純撮影の場合と同様に、図８に示すようにそれを表示画面Ｈ３の左側のサブ画面ＳＬに簡略化されたアイコン状に表示させる。
【００６６】
そして、長尺撮影の場合には、後述するように、撮影台５１Ａのホルダー５１ａに装填されている複数の放射線画像撮影装置１でそれぞれ画像データＤが読み出され、それらに基づいてコンソールＣで複数の画像ｐが生成される。そして、コンソールＣは、それらの複数の画像ｐと紐づけるための第２撮影条件キーＫ２を画像の枚数分だけ生成させるが、これらの第２撮影条件キーＫ２は、表示画面Ｈ３の左側のサブ画面ＳＬには表示させないようになっている。
【００６７】
すなわち、本実施形態では、単純撮影の場合も長尺撮影の場合も、表示画面Ｈ３のサブ画面ＳＬに表示される撮影条件キー（長尺撮影の場合は第１撮影条件キー）はいずれも１つだけである。
【００６８】
なお、放射線技師等の設定により、第１撮影条件キーＫ１と同様に、第２撮影条件キーＫ２を表示画面Ｈ３のサブ画面ＳＬ上にアイコン状に表示させることができるように構成することも可能であるが、少なくともデフォルトの状態（すなわち初期設定の状態）では第１撮影条件キーＫ１のみをサブ画面ＳＬ上に表示するように構成される。
【００６９】
このように、本実施形態では、１ショット長尺撮影を行う場合にも、単純撮影の場合と同様に、表示画面Ｈ３の左側のサブ画面ＳＬに、それに対応する第１撮影条件キーＫ１を１つだけ表示させ、基本的に第２撮影条件キーＫ２は表示させないように構成されている。そのため、放射線技師等の操作者は、単純撮影を行う場合と同様の操作感で長尺撮影を行うことが可能となる。
【００７０】
また、表示画面Ｈ３の中央の主画面ＳＭには、種々の情報を表示したり、生成した画像を大きく拡大させて表示したりすることができるようになっている。
【００７１】
そして、本実施形態では、コンソールＣは、長尺撮影を行う前に、主画面ＳＭに、長尺撮影を行うことができるか否かを表示させるようになっているが、その際、コンソールＣは、１ショット長尺撮影用の撮影台５１Ａのホルダー５１ａに装填されている複数の放射線画像撮影装置１が全て撮影可能な状態になった時点で、長尺撮影が可能である旨を主画面ＳＭ上に表示する等して放射線技師等の操作者に通知するようになっている。音声等で通知するように構成することも可能である。
【００７２】
そして、撮影台５１Ａのホルダー５１ａに装填されている複数の放射線画像撮影装置１のうち、放射線画像撮影装置１が１枚でも撮影不可の状態である場合には、主画面ＳＭ上に「準備中」や「撮影できません」等の表示を行う等して、長尺撮影ができない状態であることを放射線技師等の操作者に通知するようになっている。
【００７３】
１ショット長尺撮影の場合、撮影台５１Ａのホルダー５１ａに装填されている複数の放射線画像撮影装置１のうち放射線画像撮影装置１が１枚でも撮影不可の状態である場合には、１ショット長尺撮影を行うことができず、全ての放射線画像撮影装置１が撮影可能な状態になって初めて１ショット長尺撮影を行うことが可能となる。
【００７４】
そして、表示画面Ｈ３の主画面ＳＭ上に、撮影台５１Ａのホルダー５１ａに装填されている各放射線画像撮影装置１の状態等を表示するのではなく、上記のように、撮影可能であるか撮影不可であるかのみを端的に表示するように構成することで、放射線技師等の操作者が、あたかも単純撮影を行っている場合と同様の操作感で長尺撮影を行うことが可能となる。
【００７５】
なお、１ショット長尺撮影を行うことができない状況としては種々の状況があり得る。例えば、そもそも撮影台５１Ａのホルダー５１ａに放射線画像撮影装置１が１枚も装填されていない場合には撮影を行うことができない。そのため、このような場合には主画面ＳＭ上に例えば「パネルを装填してください」等の表示が行われる。なお、パネルとは放射線画像撮影装置１のことである。また、放射線画像撮影装置１が１枚だけ装填されている場合に撮影可能とするか撮影不可とするかは適宜決められる。
【００７６】
また、撮影台５１Ａのホルダー５１ａに放射線画像撮影装置１が装填されているが、例えば放射線検出素子７のリセット処理等の初期動作が終了していない等のために撮影準備が整っていない場合には、主画面ＳＭ上に例えば「準備中」や「お待ちください」等の表示が行われる。さらに、前述したように撮影台５１Ａのホルダー５１ａに装填された放射線画像撮影装置１から送信されてくる内蔵電源２４（図６参照）の残量やアクセスポイント５３（図１や図２参照）との間の無線通信における無線強度等の撮影に関するパラメーターＰａに基づいて、放射線画像撮影装置１が電池切れを起こしていたり、或いは無線強度が弱すぎて無線通信を行うことができない等の状態にある場合にも撮影を行うことができない。そして、このように撮影不可である場合には、主画面ＳＭ上に例えば「撮影できません」等の表示が行われる。
【００７７】
さらに、撮影台５１Ａのホルダー５１ａに複数の放射線画像撮影装置１が装填されているが、例えば図７（Ａ）に示したホルダー５１ａにおける各装填位置Ｓ１〜Ｓ３において装填位置Ｓ１とＳ３に放射線画像撮影装置１が装填されているが、その間の装填位置Ｓ２には放射線画像撮影装置１が装填されていないような場合にも、コンソールＣが、撮影不可の状態であると判断するように構成することが可能である。そして、このような場合には、主画面ＳＭ上に例えば「撮影できません」等の表示を行ったり、或いは「パネルを装填してください」の表示を行うように構成することが可能である。
【００７８】
そして、撮影不可の場合には、撮影台５１Ａのホルダー５１ａに装填されている複数の放射線画像撮影装置１のうち、どの放射線画像撮影装置１が電池切れを起こしたり無線通信を行うことができない等の状態にあるかや、そのような放射線画像撮影装置１がホルダー５１ａのどの装填位置に装填されているかが分からないと、放射線技師等の操作者が放射線画像撮影装置１を交換したり装填位置を変える等して対応することができない。
【００７９】
そこで、本実施形態では、コンソールＣは、図８に示すように、撮影前に、表示画面Ｈ３の右側のサブ画面ＳＲに、撮影台５１Ａのホルダー５１ａに装填されている放射線画像撮影装置１の装填位置Ｓ１〜Ｓ３や、内蔵電源２４の残量やアクセスポイント５３との間の無線通信における無線強度等の撮影に関するパラメーターＰａを表示するようになっている。
【００８０】
その際、コンソールＣは、上記のようにホルダー５１ａへの装填時にドングルＤｏ（図７（Ａ）、（Ｂ）参照）が接続された放射線画像撮影装置１から通知された識別情報等の情報に基づいて撮影台５１Ａのホルダー５１ａにどの放射線画像撮影装置１がどの装填位置Ｓ１〜Ｓ３に装填されているかを認識している。そのため、本実施形態では、コンソールＣは、各放射線画像撮影装置１の撮影に関するパラメーターＰａを、ホルダー５１ａへの装填位置Ｓ１〜Ｓ３に対応するサブ画面ＳＲ上の上下の位置に簡略化されたアイコン状に表示させることで、放射線画像撮影装置１の装填位置Ｓ１〜Ｓ３と撮影に関するパラメーターＰａとを同時に表示するようになっている。
【００８１】
なお、例えば、撮影台５１Ａのホルダー５１ａの装填位置Ｓ１とＳ３に放射線画像撮影装置１が装填されており、装填位置Ｓ２には放射線画像撮影装置１が装填されていない場合、表示画面Ｈ３のサブ画面ＳＲでは、上、中、下の表示部分のうち上と下の表示部分に撮影に関するパラメーターＰａがアイコン状に表示され、中の表示部分には撮影に関するパラメーターＰａが表示されない。そのため、放射線技師等の操作者は、サブ画面ＳＲの表示を見れば、各放射線画像撮影装置１の撮影に関するパラメーターＰａだけでなく、放射線画像撮影装置１の装填位置Ｓ１〜Ｓ３も認識することが可能となる。そのため、サブ画面ＳＲに上記のような表示を行うことで、コンソールＣが表示画面Ｈ３上に撮影台５１Ａのホルダー５１ａに装填されている放射線画像撮影装置１の装填位置Ｓ１〜Ｓ３を表示したことになる。
【００８２】
このように構成することで、撮影不可になっている際に、放射線技師等の操作者が、表示画面Ｈ３の右側のサブ画面ＳＲを見ることで、撮影台５１Ａのホルダー５１ａの各装填位置Ｓ１〜Ｓ３への放射線画像撮影装置１の装填の有無や、どの放射線画像撮影装置１が電池切れを起こしたり無線通信を行うことができない等の状態にあるか等を容易に認識することが可能となり、装填し忘れていた放射線画像撮影装置１を装填したり、放射線画像撮影装置１の装填位置を変えたり、放射線画像撮影装置１を交換する等して適切に対応することが可能となる。
【００８３】
なお、放射線画像撮影装置１の撮影に関するパラメーターＰａは、放射線画像撮影装置１にドングルＤｏが接続され、放射線画像撮影装置１から内蔵電源２４の残量やアクセスポイント５３との間の無線通信における無線強度等の撮影に関するパラメーターＰａがコンソールＣに送信された時点で、表示画面Ｈ３の右側のサブ画面ＳＲ上に表示される。そして、定期的に或いはコンソールＣから送信要求があった際等に放射線画像撮影装置１からパラメーターＰａが送信されてくるごとに、サブ画面ＳＲ上に表示されるパラメーターＰａが更新されて表示される。
【００８４】
また、上記のように各放射線画像撮影装置１の撮影に関するパラメーターＰａを表示する際、例えば、撮影可能な状態のパラメーターＰａは緑色等で表示し、撮影不可の原因になっているパラメーターＰａを赤や黄色等で表示する等して、撮影不可の原因になっているパラメーターＰａを放射線技師等の操作者が認識し易いように表示するように構成することも可能である。
【００８５】
［撮影不可の場合に放射線の照射を禁止することについて］
ところで、上記のように撮影不可の状態であるにもかかわらず、放射線技師等の操作者が放射線照射装置５２の曝射スイッチ５６を全押しして（図４（Ｃ）参照）、放射線照射装置５２から放射線が照射されてしまうと、曝射が無駄になるだけでなく、患者の被曝線量が大きくなり患者にかかる負担が大きくなってしまう。
【００８６】
そこで、コンソールＣは、撮影台５１Ａのホルダー５１ａに装填されている複数の放射線画像撮影装置１が全て撮影可能な状態である場合にのみ放射線照射装置５２からの放射線の照射を許容し、放射線画像撮影装置１のうちいずれかの放射線画像撮影装置１が撮影不可の状態である場合には放射線照射装置５２からの放射線の照射を禁止するように構成することが可能である。
【００８７】
すなわち、上記のように、コンソールＣが、撮影台５１Ａのホルダー５１ａに放射線画像撮影装置１が１枚も装填されていないと判断した場合や、装填されている放射線画像撮影装置１の撮影準備が整っていないと判断した場合、或いは、放射線画像撮影装置１が電池切れを起こしていたり無線強度が弱すぎる等して撮影不可の場合等には、例えば、放射線技師等の操作者が放射線照射装置５２の曝射スイッチ５６を全押しして、後述するように放射線照射装置５２の制御部５５から照射開始信号が送信されて来ても、コンソールＣから放射線照射装置５２側にインターロック解除信号を送信しないように構成して、放射線照射装置５２からの放射線の照射を禁止する。
【００８８】
そして、撮影台５１Ａのホルダー５１ａに装填されている複数の放射線画像撮影装置１が全て撮影可能な状態である場合にのみ、コンソールＣから放射線照射装置５２側にインターロック解除信号を送信する等して、放射線照射装置５２からの放射線の照射を許容するように構成することが可能である。
【００８９】
このように構成すれば、上記のように撮影不可の状態であるにもかかわらず放射線照射装置５２から放射線が照射されて、曝射が無駄になったり患者の被曝線量が大きくなって患者にかかる負担が大きくなる等の問題が生じることを的確に防止することが可能となる。
【００９０】
［撮影可能である旨の通知および放射線照射装置からの放射線の照射について］
一方、コンソールＣは、撮影台５１Ａのホルダー５１ａに装填されている複数の放射線画像撮影装置１が全て撮影可能な状態であると判断すると、図８に示したように、表示画面Ｈ３の主画面ＳＭ上に「表示できます」と表示する等して、放射線技師等の操作者に、１ショット長尺撮影を行うことが可能であることを通知する。
【００９１】
そして、放射線技師等の操作者は、撮影室Ｒａ（図１や図２参照）で被写体である患者Ｐと撮影台５１Ａのホルダー５１ａ（すなわち複数の放射線画像撮影装置１）とのポジショニングを済ませ、前室Ｒｂに戻ってコンソールＣの表示画面Ｈ３上に表示されている撮影可能である旨の通知を確認した後、曝射スイッチ５６を操作して放射線照射装置５２から放射線を照射させる。
【００９２】
その際、例えば図９に示すように、撮影台５１Ａのホルダー５１ａに装填されている各放射線画像撮影装置１では、走査駆動手段１５のゲートドライバー１５ｂ（図６参照）から走査線５の各ラインＬ１〜Ｌｘにオン電圧を順次印加して、放射線検出素子７内に残存する電荷を除去する放射線検出素子７のリセット処理が行われている。
【００９３】
そして、放射線技師等の操作者により曝射スイッチ５６が全押しされて放射線照射装置５２の制御部５５から中継器５４やアクセスポイント５３を介してコンソールＣに照射開始信号が送信されてくると、コンソールＣから各放射線画像撮影装置１に、放射線検出素子７のリセット処理を停止することを指示する信号が送信される。
【００９４】
各放射線画像撮影装置１は、その時点で行っている放射線検出素子７のリセット処理を、走査線５の最終ラインＬｘまでオン電圧を印加した時点で停止する。そして、放射線検出素子７のリセット処理を停止すると、コンソールＣに停止完了信号を送信するとともに、ゲートドライバー１５ｂから走査線５の各ラインＬ１〜Ｌｘにオフ電圧を印加させて、放射線の照射により各放射線検出素子７内で発生した電荷を各放射線検出素子７に蓄積させる電荷蓄積状態に移行させる。
【００９５】
コンソールＣは、撮影台５１Ａのホルダー５１ａに装填されている各放射線画像撮影装置１からの停止完了信号が出揃った時点で、放射線照射装置５２の制御部５５にインターロック解除信号を送信する。そして、放射線照射装置５２の制御部５５は、インターロック解除信号を受信した時点で初めて放射線照射装置５２から放射線を照射させる。
【００９６】
本実施形態では、このようにして、放射線照射装置５２から撮影台５１Ａのホルダー５１ａに装填されている各放射線画像撮影装置１への放射線の１ショット照射による長尺撮影が行われるようになっている。
【００９７】
なお、本実施形態では、上記のように、放射線照射装置５２側とコンソールＣ（および各放射線画像撮影装置１）とが信号等のやり取りを行いながら連携して（すなわちいわゆる連携方式で）長尺撮影を行うように構成されているが、放射線照射装置５２側と各放射線画像撮影装置１との間で信号等のやり取りを行わずに（すなわちいわゆる非連携方式で）長尺撮影を行うように構成することも可能である。その場合、放射線画像撮影装置１は放射線照射装置５２から放射線が照射されたことを自ら検出して電荷蓄積状態に移行するように構成される。放射線画像撮影装置１が自ら放射線の照射を検出する方法等については、詳しくは、例えば特開２００９−２１９５３８号公報や国際公開第２０１１／１３５９１７号、国際公開第２０１１／１５２０９３号等を参照されたい。
【００９８】
［第２撮影条件キーの生成について］
一方、本実施形態では、前述したように、放射線画像撮影装置１を撮影台５１Ａのホルダー５１ａに装填する際に、装填位置Ｓ１〜Ｓ３に対応するドングルＤｏ１〜Ｄｏ３のいずれが放射線画像撮影装置１のコネクター２７に接続される。そして、ドングルＤｏが接続された放射線画像撮影装置１からドングルＤｏの識別情報とカセッテＩＤとが通知されることで、コンソールＣは、撮影台５１Ａのホルダー５１ａにどの放射線画像撮影装置１がどの装填位置Ｓ１〜Ｓ３に装填されているかを検出する。
【００９９】
すなわち、本実施形態では、コンソールＣが、撮影台５１Ａのホルダー５１ａへの放射線画像撮影装置１の装填の有無および装填位置Ｓ１〜Ｓ３を検出する検出手段として機能するようになっている。なお、検出手段を、コンソールＣとは別体に設けることも可能であり、また、ドングルＤｏ等に検出手段としての機能を持たせるように構成することも可能である。
【０１００】
一方、本発明では、コンソールＣは、長尺画像ｐlong（例えば後述する図１３（Ｂ）等参照）の生成に用いる画像ｐ（例えば後述する図１２のｐ１〜ｐ３参照）の枚数Ｎ（図１２の場合は３枚）を割り出し、割り出した画像ｐの枚数Ｎに応じた数の第２撮影条件キーを、当該画像ｐを撮影した放射線画像撮影装置１の、撮影台５１Ａのホルダー５１ａへの装填位置と対応付けてそれぞれ新たに生成させるようになっている。
【０１０１】
本実施形態では、コンソールＣは、上記の検出手段として機能するように構成されているため、これを利用して、コンソールＣは、上記のようにして撮影台５１Ａのホルダー５１ａへの放射線画像撮影装置１の装填の有無および装填位置Ｓ１〜Ｓ３を検出すると、その検出結果に基づいて、放射線照射装置５２からの放射線が照射された際に撮影台５１Ａのホルダー５１ａに装填されていた放射線画像撮影装置１の枚数ｎを割り出し、割り出した放射線画像撮影装置１の枚数ｎに基づいて、長尺画像ｐlongの生成に用いる画像ｐの枚数Ｎ（Ｎはｎと同じ数）を割り出して、画像ｐの枚数Ｎに応じた数Ｎの第２撮影条件キーＫ２を、放射線画像撮影装置１が装填されている装填位置と対応付けてそれぞれ新たに生成させるようになっている。
【０１０２】
具体的には、上記のように、放射線技師等の操作者が、当初、例えば撮影台５１Ａのホルダー５１ａに２枚の放射線画像撮影装置１を装填したが、もう１枚必要であると判断して３枚目の放射線画像撮影装置１を新たに装填する場合がある。或いは、当初、３枚の放射線画像撮影装置１を装填したが、そのうち１枚が故障していたり２枚で十分であると判断する等して、放射線画像撮影装置１を１枚抜き出して２枚の放射線画像撮影装置１で長尺撮影を行うような場合もある。
【０１０３】
このように撮影台５１Ａのホルダー５１ａに装填される放射線画像撮影装置１の枚数ｎは変動し得るが、本実施形態では、例えば上記のように曝射スイッチ５２が全押しされて放射線照射装置５２側からコンソールＣに照射開始信号が送信されてきた時点や、コンソールＣから放射線照射装置５２側にインターロック解除信号を送信した時点等で、コンソールＣは、放射線照射装置５２から放射線が照射されることを認識することができる。そして、ドングルＤｏが接続された放射線画像撮影装置１から送信されてくるドングルＤｏの識別情報等に基づいて、その時点で撮影台５１Ａのホルダー５１ａに装填されていた放射線画像撮影装置１の枚数ｎ（すなわち長尺画像ｐlongの生成に用いる画像ｐの枚数Ｎ。以下同じ。）を割り出すことができる。
【０１０４】
そのため、コンソールＣは、このようにして割り出した放射線画像撮影装置１の枚数ｎ（すなわち放射線照射装置５２からの放射線が照射された際にホルダー５１ａに装填されていた放射線画像撮影装置１の枚数ｎ）分だけ第２撮影条件キーＫ２を生成させる。
【０１０５】
その際、コンソールＣは、前述したように、第２撮影条件キーＫ２と、対応する放射線画像撮影装置１が装填されている装填位置とを対応付けて、例えば３枚の放射線画像撮影装置１が装填されていた場合は、第２撮影条件キーＫ２中の撮影部位Ｐ７を「全下肢正面上」、「全下肢正面中」、「全下肢正面下」に細分化した３つの第２撮影条件キーＫ２を生成させるようになっている。なお、以下では、撮影部位Ｐ７が「全下肢正面上」、「全下肢正面中」、「全下肢正面下」の各第２撮影条件キーＫ２をそれぞれ第２撮影条件キーＫ２(1)、Ｋ２(2)，Ｋ２(3)という。
【０１０６】
また、例えば２枚の放射線画像撮影装置１が装填されていた場合には、コンソールＣは、各放射線画像撮影装置１の装填位置に応じて、第２撮影条件キーＫ２中の撮影部位Ｐ７を「全下肢正面上」、「全下肢正面中」或いは「全下肢正面中」、「全下肢正面下」に細分化した２つの第２撮影条件キーＫ２を生成させるようになっている。
【０１０７】
コンソールＣは、このようにして、放射線照射装置５２からの放射線が照射された際に撮影台５１Ａのホルダー５１ａに装填されていた放射線画像撮影装置１の枚数ｎに応じた数ｎの第２撮影条件キーＫ２を、放射線画像撮影装置１が装填されている装填位置（上、中、下）と対応付けて自動的に生成させるようになっている。
【０１０８】
なお、本実施形態では、コンソールＣは、生成させたこれらの第２撮影条件キーＫ２を表示画面Ｈ３の左側のサブ画面ＳＬには表示させず、基本的にサブ画面ＳＬには第１撮影条件キーＫ１のみを表示させることは前述した通りである。
【０１０９】
［画像データやオフセットデータの読み出し、転送等について］
図９に示したように、撮影台５１Ａのホルダー５１ａに装填された各放射線画像撮影装置１が電荷蓄積状態に移行し、放射線照射装置５２から放射線が照射されて１ショット長尺撮影が行われると（図９の斜線を付した部分は放射線が照射されていることを表す。）、各放射線画像撮影装置１の制御手段２２は、ゲートドライバー１５ｂから走査線５の各ラインＬ１〜Ｌｘにオン電圧を順次印加して、前述した画像データＤの読み出し処理を行わせる。
【０１１０】
そして、各放射線画像撮影装置１の制御手段２２は、画像データＤを読み出すとともにアンテナ２９を介して無線方式で画像データＤをコンソールＣに転送する。すなわち、例えば撮影台５１Ａのホルダー５１ａに３枚の放射線画像撮影装置１が装填されている場合には、３枚の放射線画像撮影装置１から画像データＤがそれぞれ同時にコンソールＣに転送される状態になる。なお、画像データＤを転送する代わりに、後述するように表示画面Ｈ３上に表示するプレビュー画像用のデータＤｐを画像データＤ中から抽出して、画像データＤより先に転送するように構成することも可能である。
【０１１１】
また、各放射線画像撮影装置１では、画像データＤやプレビュー画像用のデータの転送と同時に、図１０に示すようにしてオフセットデータＯの読み出し処理が行われる。すなわち、各放射線画像撮影装置１は、上記のようにして画像データＤの読み出し処理を行うと、続いて、図１０の左側の部分に示すように、１フレーム分或いは所定フレーム分の放射線検出素子７のリセット処理を行った後、電荷蓄積状態に移行する。そして、放射線画像撮影装置１に放射線が照射されない状態で、画像データＤの読み出し前の電荷蓄積状態の継続時間τと同じ時間だけ電荷蓄積状態を継続させた後、図１０の右側の部分に示すように、ゲートドライバー１５ｂから走査線５の各ラインＬ１〜Ｌｘにオン電圧を順次印加して、上記の画像データＤの読み出し処理と同様にして各放射線検出素子７からオフセットデータＯを読み出す。なお、オフセットデータＯの読み出し処理を、長尺撮影前に行うように構成することも可能である。
【０１１２】
各放射線画像撮影装置１は、このようにしてオフセットデータＯを読み出すと、プレビュー画像用のデータＤｐを先に転送した場合は残りの画像データＤとオフセットデータＯをコンソールＣに転送し、プレビュー画像用のデータＤｐを抽出しない場合は既に開始されている画像データＤの転送に続けてオフセットデータＯをコンソールＣに転送する。
【０１１３】
［プレビュー画像の表示について］
コンソールＣは、各放射線画像撮影装置１から画像データＤ或いはプレビュー画像用のデータＤｐ（以下、それらを代表して画像データＤとして説明するが、プレビュー画像用のデータＤｐの場合も同様に説明される。）が転送されてくると、オフセットデータＯはまだ転送されてきていないため、画像データＤが転送されてくるごとに、下記（１）式に従って画像データＤから仮のオフセットデータＯｐを減算した値Ｄｐ＊を各放射線画像撮影装置１の放射線検出素子７ごとに算出する。
Ｄｐ＊＝Ｄ−Ｏｐ    …（１）
【０１１４】
そして、コンソールＣは、それらの値Ｄｐ＊に対して簡易な画像処理を施すごとに、表示画面Ｈ３の右側のサブ画面ＳＲの各放射線画像撮影装置１に対応する位置（すなわち各放射線画像撮影装置１の撮影に関するパラメーターＰａがアイコン状に表示されていた位置）にプレビュー画像ｐ_preを表示していくようになっている。そのため、表示画面Ｈ３の右側のサブ画面ＳＲの各放射線画像撮影装置１に対応する位置にそれぞれプレビュー画像ｐ_preがワイプ表示される（すなわち例えば上側から下側に向けて表示される部分が増えていくように表示される。）。
【０１１５】
そして、各放射線画像撮影装置１から画像データＤの転送が終了した時点で、例えば図１１に示すように、表示画面Ｈ３の右側のサブ画面ＳＲの各放射線画像撮影装置１に対応する位置にそれぞれプレビュー画像ｐ_preが表示された状態になる。そして、放射線技師等の操作者は、これらのプレビュー画像ｐ_preを見て再撮影の要否を判断する。
【０１１６】
［各画像の生成および第２撮影条件キーの紐づけについて］
また、コンソールＣは、各放射線画像撮影装置１からそれぞれ画像データＤやオフセットデータＯが転送されてくると、下記（２）式に従って各放射線画像撮影装置１の各放射線検出素子７ごとに画像データＤからオフセットデータＯを減算して真の画像データＤ＊を算出する。
Ｄ＊＝Ｄ−Ｏ    …（２）
【０１１７】
そして、コンソールＣは、放射線画像撮影装置１ごとに、算出した真の画像データＤ＊に対してゲイン補正や欠陥画素補正、撮影部位に応じた階調処理等の精密な画像処理を行って放射線画像撮影装置１ごとにそれぞれ画像ｐ１〜ｐ３を生成する。そして、コンソールＣは、図１２にイメージ的に示すように、生成した画像ｐ１、ｐ２、ｐ３と、上記のようにして生成させた第２撮影条件キーＫ２(1)、Ｋ２(2)，Ｋ２(3)とをそれぞれ紐づけるようになっている。
【０１１８】
具体的には、コンソールＣは、生成した画像ｐ１等のデータのヘッダーに第２撮影条件キーＫ２(1)を書き込む等して、各放射線画像撮影装置１から取得した画像データＤ等に基づいて生成した各画像ｐ１〜ｐ３と、各放射線画像撮影装置１の装填位置Ｓ１〜Ｓ３に対応する第２撮影条件キーＫ２(1)〜Ｋ２(3)とをそれぞれ紐づける。
【０１１９】
本実施形態では、このようにして、コンソールＣは、上記のようにして放射線照射装置５２から放射線が照射された際に撮影台５１Ａのホルダー５１ａに装填されていた放射線画像撮影装置１の枚数ｎすなわち長尺画像ｐlongの生成に用いる画像ｐの枚数Ｎ（上記の場合は３枚）を割り出し、割り出した画像ｐの枚数Ｎに応じ、各放射線画像撮影装置１の装填位置Ｓ１〜Ｓ３と対応付けて自動的に生成させた第２撮影条件キーＫ２(1)〜Ｋ２(3)を、各放射線画像撮影装置１で取得された画像ｐ１〜ｐ３に自動的に紐づけるようになっている。
【０１２０】
そのため、本実施形態では、放射線技師等の操作者が第２撮影条件キーＫ２を作成することなく、寧ろいわば操作者が知らない間に、コンソールＣが放射線の照射際にホルダー５１ａに装填されていた放射線画像撮影装置１の枚数分だけ第２撮影条件キーＫ２を生成させるとともに、それらの第２撮影条件キーを生成した画像ｐにそれぞれ自動的にかつ的確に紐づけることが可能となる。
【０１２１】
［長尺画像の生成および第１撮影条件キーの紐づけ等について］
コンソールＣは、続いて、図１３（Ａ）に示すように、各画像ｐ１〜ｐ３の端部同士の位置合わせを行い、画像ｐ１〜ｐ３を合成して、図１３（Ｂ）に示すような長尺画像ｐlongを生成する。各画像ｐ１〜ｐ３の位置合わせや合成処理等については、例えば特開２０１３−１５４１４６号公報等に記載された公知の方法を用いることが可能である。
【０１２２】
そして、本実施形態では、コンソールＣは、図１３（Ｂ）に示すように、合成して生成した長尺画像ｐlongと前述した第１撮影条件キーＫ１とを紐づけるようになっている。
【０１２３】
このように、本実施形態に係る放射線画像撮影システム５０では、放射線技師等の操作者が、長尺画像ｐlongに紐づける第１撮影条件キーＫ１や、各放射線画像撮影装置１で撮影された各画像ｐにそれぞれ紐づける各第２撮影条件キーＫ２を作成する必要がなく、また、長尺画像ｐlongや各画像ｐに第１撮影条件キーや第２撮影条件キーＫ２をそれぞれ紐づける必要もない。そして、それらの処理はコンソールＣが全て自動的に行うため、放射線技師等の操作者は、撮影に用いられた放射線画像撮影装置１の枚数ｎ（すなわち長尺画像ｐlongの生成に用いる画像ｐの枚数Ｎ）を考慮することなく、単純撮影を行う場合と同様の操作感で長尺撮影を行うことが可能となる。
【０１２４】
コンソールＣは、図１４に示すように、生成した長尺画像ｐlongを表示画面Ｈ３の主画面ＳＭ上に表示させる。そして、表示された長尺画像ｐlongが放射線技師等の操作者により確認されて確定されると、コンソールＣは、上記のようにして第１撮影条件キーＫ１と紐づけた長尺画像ｐlong（図１３（Ｂ）参照）と、第２撮影条件キーＫ２(1)〜Ｋ２(3)とそれぞれ紐づけた画像ｐ１〜ｐ３（図１２参照）とを互いに対応付ける。
【０１２５】
すなわち、コンソールＣは、例えば、第１撮影条件キーＫ１が書き込まれた長尺画像ｐlongのデータのヘッダーと、第２撮影条件キーＫ２(1)〜Ｋ２(3)がそれぞれ書き込まれた画像ｐ１〜ｐ３の各データのヘッダーに、共通の識別番号を書き込む等して、長尺画像ｐlongと各画像ｐ１〜ｐ３とを互いに対応付けるようになっている。
【０１２６】
このように構成することで、第１撮影条件キーＫ１や第２撮影条件キーＫ２(1)〜Ｋ２(3)とともに長尺画像ｐlongとその基となった各画像ｐ１〜ｐ３とを１つのグループとして一体的に管理することが可能となる。
【０１２７】
なお、第２撮影条件キーＫ２の各画像ｐへの紐づけや、第１撮影条件キーＫ１の長尺画像ｐlongへの紐づけ、長尺画像ｐlongの確定、長尺画像ｐlongと各画像ｐとの対応付けを行うタイミングや順番等は適宜決められる。すなわち、例えば上記のように各処理を順次行うように構成することも可能であり、また、例えば放射線技師等の操作者により長尺画像ｐlongの確定処理が行われた時点で紐づけや対応付けの処理を行うように構成することも可能である。
【０１２８】
そして、コンソールＣは、以上の処理が終了すると、対応付けた長尺画像ｐlongと各画像ｐ１〜ｐ３（第１撮影条件キーＫ１および第２撮影条件キーＫ２を含む。）を、ＰＡＣＳ等の外部システムに出力して、１ショット長尺撮影を終了する。
【０１２９】
［効果］
以上のように、本実施形態に係る放射線画像撮影システム５０によれば、１ショット長尺撮影を行う際、従来のシステムのように放射線技師等の操作者が長尺画像ｐlongやそれを構成する各画像ｐに紐づける撮影条件キーを作成するのではなく、コンソールＣが、長尺画像ｐlongに紐づける第１撮影条件キーＫ１を自動的に生成させる。また、コンソールＣが、例えば放射線照射装置５２から放射線が照射された際に撮影台５１Ａのホルダー５１ａに装填されていた放射線画像撮影装置１の枚数ｎを割り出す等して、長尺画像ｐlongの生成に用いる画像ｐの枚数Ｎを割り出し、割り出した画像ｐの枚数Ｎに応じた数の第２撮影条件キーＫ２を装填位置Ｓ１〜Ｓ３（すなわち上、中、下等）と対応付けてそれぞれ新たに自動的に生成させ、ホルダー５１ａに装填されていた放射線画像撮影装置１から取得した画像ｐと対応する第２撮影条件キーＫ２とをそれぞれ自動的に紐づける。また、コンソールＣが、各画像ｐを合成して生成した長尺画像ｐlongと上記の第１撮影条件キーＫ１とを自動的に紐づける。
【０１３０】
そのため、放射線技師等の操作者が、長尺画像ｐlongに紐づける第１撮影条件キーＫ１や、各放射線画像撮影装置１で撮影された各画像ｐにそれぞれ紐づける各第２撮影条件キーＫ２を作成する必要がないうえ、長尺画像ｐlongや各画像ｐに第１撮影条件キーや第２撮影条件キーＫ２をそれぞれ紐づける必要もない。そして、それらの処理はコンソールＣが全て自動的に行うため、放射線技師等の操作者は、撮影に用いられた放射線画像撮影装置１の枚数ｎを考慮する必要がない。
【０１３１】
一方、単純撮影においても、撮影に用いられた放射線画像撮影装置１の枚数が１枚であるため、放射線技師等の操作者が放射線画像撮影装置１の枚数を考慮する必要がなく、また、撮影条件キーはコンソールＣが自動的に生成させるため、操作者が撮影条件キーを作成する必要がない。
【０１３２】
そのため、本実施形態に係る放射線画像撮影システム５０によれば、１ショット長尺撮影を行う場合でも、放射線技師等の操作者は、この単純撮影を行う場合と同様の操作感で１ショット長尺撮影を行うことが可能となる。
【０１３３】
なお、後述する変形例においても同様であるが、上記の実施形態では、第１撮影条件キーＫ１や第２撮影条件キーＫ２を、長尺画像ｐlongや各画像ｐのデータのヘッダーに書き込むことで、長尺画像ｐlongや各画像ｐと紐づける場合について説明したが、これに限定されず、第１撮影条件キーＫ１や第２撮影条件キーＫ２と長尺画像ｐlongや各画像ｐとを的確に紐づけることが可能な仕方であればどのような仕方で紐づけることも可能である。
【０１３４】
また、図１や図３等に示した１ショット長尺撮影用の撮影台５１Ａのホルダー５１ａに、放射線画像撮影装置１を１枚だけ装填したり、或いはホルダー５１ａに装填された複数の放射線画像撮影装置１のうち１枚だけを撮影可能な状態（他の放射線画像撮影装置１はいわゆるスリープ状態）にする等して、１ショット長尺撮影用の撮影台５１Ａを単純撮影に用いることができるように構成することも可能である。
【０１３５】
さらに、前述したように、本発明は、１ショット長尺撮影用の撮影台５１Ａが臥位撮影用である場合にも適用される。その際、例えば、撮影台５１Ａのホルダー５１ａを回転させたり向きを変えたりすることができるように構成し、１ショット長尺撮影用の撮影台５１Ａを、立位撮影用としても臥位撮影用としても使うことができるように構成することも可能である。
【０１３６】
［変形例１］
なお、上記の実施形態では、放射線技師等の操作者が、当初、３枚の放射線画像撮影装置１を装填したが、そのうち１枚が故障していたり２枚で十分であると判断する等して、放射線画像撮影装置１を撮影台５１Ａのホルダー５１ａから１枚抜き出して２枚の放射線画像撮影装置１で長尺撮影を行う場合について説明した。
【０１３７】
しかし、使用しなくなった放射線画像撮影装置１を撮影台５１Ａのホルダー５１ａから抜き出さず、ホルダー５１ａに装填したまま、例えば放射線画像撮影装置１の電源をオフにしたり、或いは放射線画像撮影装置１の電力モードを省電力モード（スリープモード等ともいう。）に切り替える等して、当該放射線画像撮影装置１を撮影に使用することができない状態にする場合もあり得る。
【０１３８】
そこで、例えば、撮影台５１Ａのホルダー５１ａに装填されている放射線画像撮影装置１が上記のように電源をオフされる際や電力モードが省電力モードに切り替えられる際に当該放射線画像撮影装置１からコンソールＣにその旨を通知するように構成する。すなわち、上記のように、コンソールＣを、撮影台５１Ａのホルダー５１ａへの放射線画像撮影装置１の装填の有無や装填位置Ｓ１〜Ｓ３を検出するだけでなく、放射線画像撮影装置１が撮影に使用されるか否かを検出する検出手段として機能させるように構成する。
【０１３９】
そして、コンソールＣは、その検出結果に基づいて、放射線照射装置５２から放射線が照射された際に撮影台５１Ａのホルダー５１ａに装填されていた放射線画像撮影装置１のうち、撮影可能な状態であった放射線画像撮影装置１（すなわち電源がオンされていたり電力モードが撮影可能なモードとされている放射線画像撮影装置１）の枚数ｎ＊を割り出し、割り出した放射線画像撮影装置１の枚数ｎ＊に基づいて、長尺画像ｐlongの生成に用いる画像ｐの枚数Ｎ（Ｎはｎ＊と同じ数）を割り出すように構成することも可能である。
【０１４０】
［変形例２］
また、上記の実施形態や変形例１では、コンソールＣが、撮影台５１Ａのホルダー５１ａに装填されている放射線画像撮影装置１の装填位置Ｓ１〜Ｓ３（図７（Ａ）参照）を検出したが、それに代えて、放射線画像撮影装置１が自ら撮影台５１Ａのホルダー５１ａへの装填位置Ｓ１〜Ｓ３を検出するように構成することも可能である。
【０１４１】
この場合、例えば、図７（Ａ）、（Ｂ）に示したように、放射線画像撮影装置１を撮影台５１Ａのホルダー５１ａに装填する際に、放射線画像撮影装置１のコネクター２７にドングルＤｏが接続されて、放射線画像撮影装置１がドングルＤｏに記憶されている識別情報を読み取ると、それを一旦自らの記憶手段２３（図６参照）やＲＡＭ等に記憶する。その際、上記の実施形態のように、放射線画像撮影装置１が自らのカセッテＩＤとドングルＤｏの識別情報とをコンソールＣに通知するように構成してもよい。
【０１４２】
そして、例えば、放射線画像撮影装置１は、撮影後にコンソールＣに画像データＤ等を転送する際に、画像データＤのヘッダー等にドングルＤｏの識別情報を書き込む等して、検出した装填位置の情報（この場合はドングルＤｏの識別情報）をコンソールＣに送信するように構成する。或いは、放射線画像撮影装置１が（或いは放射線画像撮影装置１も）上記の対応表を有するように構成し、ドングルＤｏから読み取ったドングルＤｏの識別情報に基づいて、対応表を参照して自ら装填位置Ｓ１〜Ｓ３を割り出し、装填位置の情報を画像データＤ等に付帯させてコンソールＣに送信するように構成することも可能である。
【０１４３】
そして、この場合は、コンソールＣは、上記のようにして放射線画像撮影装置１から転送されて取得した画像ｐの枚数に基づいて長尺画像ｐlongの生成に用いる画像ｐの枚数Ｎを割り出す。また、それとともに、複数の放射線画像撮影装置１から画像ｐや画像データＤを取得する際に画像ｐ等とともに放射線画像撮影装置１が検出した装填位置の情報を取得し、取得した装填位置の情報に基づいて撮影台５１Ａのホルダー５１ａに装填されている放射線画像撮影装置１の装填位置Ｓ１〜Ｓ３を割り出すように構成することが可能である。
【０１４４】
［変形例３］
さらに、上記の変形例２と同様に、コンソールＣは、放射線画像撮影装置１から取得した画像ｐの枚数に基づいて長尺画像ｐlongの生成に用いる画像ｐの枚数Ｎを割り出すが、各放射線画像撮影装置１の撮影台５１Ａのホルダー５１ａへの装填位置についてはコンソールＣでも放射線画像撮影装置１でも検出せず、コンソールＣが、各放射線画像撮影装置１から取得した画像ｐを画像解析して、当該画像ｐを撮影した放射線画像撮影装置１のホルダー５１ａへの装填位置を割り出すように構成することも可能である。
【０１４５】
この場合、各放射線画像撮影装置１から取得した画像ｐの枚数Ｎが例えば２枚である場合、撮影台５１Ａのホルダー５１ａに２枚の放射線画像撮影装置１が装填されていたり、装填された複数の放射線画像撮影装置１のうち２枚の放射線画像撮影装置１が撮影可能な状態になっていたと判断することができる。
【０１４６】
そして、この場合、２枚の放射線画像撮影装置１が装填位置Ｓ１、Ｓ２に装填されていたか、装填位置Ｓ２、Ｓ３に装填されていたかは、画像解析だけでは判別が必ずしも容易ではないが、少なくともいずれの放射線画像撮影装置１（或いは画像ｐ）が上側（すなわち「正面上」や「側面上」）であり、いずれの放射線画像撮影装置１（或いは画像ｐ）が下側（すなわち「正面下」や「側面下」）であるかは判別することができる。
【０１４７】
また、各放射線画像撮影装置１から取得した画像ｐの枚数Ｎが３枚以上であっても、それらを画像解析することで、複数の放射線画像撮影装置１（或いは画像ｐ）の上下方向の順番を的確に判別することができる。
【０１４８】
そのため、この変形例３のように構成した場合でも、コンソールＣは、上記のようにして放射線画像撮影装置１から転送されて取得した画像ｐの枚数に基づいて長尺画像ｐlongの生成に用いる画像ｐの枚数Ｎを割り出すとともに、撮影台５１Ａのホルダー５１ａに装填されていた複数の放射線画像撮影装置１の上下の順番（すなわち装填位置）を的確に割り出すことが可能となる。
【０１４９】
なお、本発明が上記の実施形態や変形例等に限定されず、本発明の趣旨を逸脱しない限り、適宜変更可能であることは言うまでもない。
【符号の説明】
【０１５０】
１  放射線画像撮影装置
５０  放射線画像撮影システム
５１Ａ  撮影台
５１ａ  ホルダー
５２  放射線照射装置
Ｃ  コンソール（コンソール、検出手段）
Ｃａ  表示部
Ｄｏ、Ｄｏ１〜Ｄｏ３  ドングル
Ｋ１  第１撮影条件キー
Ｋ２、Ｋ２(1)〜Ｋ２(3)  第２撮影条件キー
ｎ  枚数
ｐ、ｐ１〜ｐ３  画像
Ｐａ  パラメーター
ｐlong  長尺画像
Ｓ１〜Ｓ３  装填位置
【図１】
0006421680.tif 000002
【図２】
0006421680.tif 000003
【図３】
0006421680.tif 000004
【図４】
0006421680.tif 000005
【図５】
0006421680.tif 000006
【図６】
0006421680.tif 000007
【図７】
0006421680.tif 000008
【図８】
0006421680.tif 000009
【図９】
0006421680.tif 000010
【図１０】
0006421680.tif 000011
【図１１】
0006421680.tif 000012
【図１２】
0006421680.tif 000013
【図１３】
0006421680.tif 000014
【図１４】
0006421680.tif 000015
【図１５】
0006421680.tif 000016
【図１６】
0006421680.tif 000017
【図１７】
0006421680.tif 000018
【図１８】
0006421680.tif 000019